【事件の表示】
　特願２００４−　２２９１４「焦点距離の関数として合焦の測度を示すカメラ」拒絶査定不服審判事件〔平成１６年　８月１９日出願公開、特開２００４−２３４０１０〕について、次のとおり審決する。
【結　論】
　本件審判の請求は、成り立たない。
【理　由】
　
第１　手続の経緯
　
　本願は、平成１６年１月３０日（パリ条約による優先権主張２００３年１月３１日、米国）の出願であって、平成１８年８月１日付けで拒絶理由通知がなされ、これに対し、平成１９年２月１日付けで手続き補正がされたが、同年７月１１日付けで拒絶査定がなされた。
　これに対して、平成１９年１０月１０日に拒絶査定不服審判の請求がされ、次いで、同年１１月２日付けで手続補正がされたものである。
　
第２　平成１９年１１月２日付けの手続補正についての補正却下の決定
　
［補正却下の決定の結論］
　平成１９年１１月２日付けの手続補正（以下、「本件補正」という。）を却下する。
（以下、
下線
　
１　本件補正前及び本件補正後の本願発明
　
　本件補正は、特許請求の範囲についてするものであり、願書に最初に添付した明細書、特許請求の範囲、又は図面に記載された範囲内でなされたものである。
　
　特許請求の範囲の補正のうち、請求項１の補正（以下「補正１」という）について検討する。
　補正１は、本件補正前の、
「【特許請求の範囲】
【請求項１】
焦点距離が調整可能であるレンズと、
焦点合わせを制御するため、およびシーンからの光の輝度を測定するために用いられ、前記レンズを介して画像を受け取り、複数の焦点距離に関する画像データを生成する光センサアレイと、
前記光センサアレイから前記画像データを受け取り、該画像データを用いて、前記複数の焦点距離それぞれにおける合焦評価値を計算するプロセッサと、
前記プロセッサにより制御され、焦点距離の関数として前記合焦評価値を示すインジケータと、を備え
前記インジケータが、現在のレンズ位置に応じた焦点位置に対する被写界深度を示し、前記インジケータが、グラフィックディスプレイをさらに備え、前記ディスプレイで、同時に合焦情報を見ることができる、
カメラ。」
を
「【特許請求の範囲】
【請求項１】
焦点距離が調整可能であるレンズと、
焦点合わせを制御するため、およびシーンからの光の輝度を測定するために用いられ、前記レンズを介して画像を受け取り、複数の焦点距離に関する画像データを生成する光センサアレイと、
前記光センサアレイから前記画像データを受け取り、該画像データを用いて、前記複数の焦点距離それぞれにおける合焦評価値を計算するプロセッサと、
前記プロセッサにより制御され、焦点距離の関数として前記合焦評価値を示すインジケータと、を備え
前記インジケータが、現在のレンズ位置に応じた焦点位置に対する被写界深度を示し、前記インジケータが、グラフィックディスプレイをさらに備え、
合焦の指示がディスプレイにある場合、およびディスプレイが光センサアレイにより撮像されているものをリアルタイムで表示する場合、ディスプレイを用いてショットをフレーミングし、
カメラ。」
と補正するものである。
　
２　判断
　
　本件補正によって付加された、「合焦の指示がディスプレイにある場合、およびディスプレイが光センサアレイにより撮像されているものをリアルタイムで表示する場合、ディスプレイを用いてショットをフレーミングし、」との記載事項は、発明特定事項である「グラフィックディスプレイ」の表示内容として、補正前の「合焦情報」に加え、「
光センサアレイにより撮像されているものをリアルタイムで表示する
　
３．まとめ
　
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
第３．本願発明についての審決 
　
１　本願発明
　
　平成１９年１１月２日付けの手続補正は上記のとおり却下されたので、本願発明は、平成１９年２月１日付けの手続補正により補正された特許請求の範囲の請求項１に記載された事項により特定される次のとおりのものである。 
　
　「【特許請求の範囲】
【請求項１】
焦点距離が調整可能であるレンズと、
焦点合わせを制御するため、およびシーンからの光の輝度を測定するために用いられ、前記レンズを介して画像を受け取り、複数の焦点距離に関する画像データを生成する光センサアレイと、
前記光センサアレイから前記画像データを受け取り、該画像データを用いて、前記複数の焦点距離それぞれにおける合焦評価値を計算するプロセッサと、
前記プロセッサにより制御され、焦点距離の関数として前記合焦評価値を示すインジケータと、を備え
前記インジケータが、現在のレンズ位置に応じた焦点位置に対する被写界深度を示し、前記インジケータが、グラフィックディスプレイをさらに備え、前記ディスプレイで、同時に合焦情報を見ることができる、
カメラ。」（以下、「本願発明」という。） 
　
２　引用例
　
　原査定の拒絶の理由に引用された、本願出願前及び優先権主張日前に頒布された刊行物である特開２００１−４２２０７号公報（以下、「引用例１」という。）には、以下の技術事項が記載されている。
　
記載事項ア
「【特許請求の範囲】
【請求項１】  
複数のレンズからなり、被写体像を結像させるための撮影光学系を有する撮影レンズユニット
上記
撮影光学系を構成する複数のレンズの一部であって、移動することにより被写体像の結像位置を調整するフォーカスレンズ
上記
撮影光学系を透過した被写体からの光束により形成される被写体像を電気的な信号に光電変換する撮像手段
上記フォーカスレンズを移動させるための指示信号を生じさせる指示手段と、
上記指示手段からの指示信号に応じて上記フォーカスレンズを駆動するフォーカスレンズ移動手段と、
上記フォーカスレンズの位置を示す位置相当値を算出する位置算出手段と、
被写体像の焦点状態に応じて変化する合焦評価値を算出する合焦評価値算出手段
上記位置算出手段により得られる位置相当値と、上記合焦評価値算出手段により得られる合焦評価値とを表示する表示手段
を具備して構成したことを特徴とする電子カメラ。
【請求項２】・・・
【請求項３】 上記位置算出手段により算出された位置相当値に基づいて、これに対応する合焦距離値を算出する距離算出手段を、さらに備え、
上記
表示手段は、上記合焦距離値を表示する
【請求項４】 
上記表示手段は、各種の情報を表示する情報表示手段であると共に、上記撮像手段により取得された画像信号に基づいて示されるべき画像を表示する画像表示手段でもある
【請求項５】 被写体像を光学的に観察し得る観察光学系を有する光学ファインダーユニットを、さらに備えてなり、
この光学ファインダーユニットは、
上記表示手段に表示される各種の情報と、観察用の光学像とを同一視野の範囲内で同時に視認し得る
【請求項６】・・・
【請求項７】・・・
【請求項８】 上記表示手段により表示される各種の情報のうちの
位置相当値は、所定の焦点深度以下を示す数値である
【請求項９】・・・
【請求項１０】・・・」
　
記載事項イ
「【００３８】　本電子カメラ１は、図１に示すように
光学的な被写体像を結像させる複数のレンズ等
焦点調節動作に寄与するフォーカスレンズ１１ｂ等
被写体からの光束の光量調節を行なう絞り手段（特に図示せず）等、露出動作に寄与する各種の部材等
撮影レンズユニット１１の複数のレンズのうちフォーカスレンズ１１ｂを光軸Ｏに沿う方向に移動させて焦点調節動作を実行させるフォーカスレンズ移動手段
撮影レンズユニット１１の複数のレンズによって結像される光学的な被写体像を電気的な信号に変換し所定の形態の画像信号を生成する撮像手段の一部であるＣＣＤ等の撮像素子１２と、この撮像素子１２により取得された画像信号に対して所定の信号処理等を施す電気回路であって撮像手段の一部を構成する撮像回路１３と、この撮像回路１３からの出力信号（アナログ信号）を受けてデジタル信号に変換するＡ／Ｄ変換回路１４（図１では、単にＡ／Ｄと略記している）と、このＡ／Ｄ変換回路１４からの出力信号を受けて自動焦点調節動作に寄与する所定の演算等を行なって所定の合焦評価値（例えば被写体像のコントラストの強弱を示すコントラスト値等）を算出する合焦評価値算出手段であるＡＦ回路２３
内蔵メモリ１５に記憶されたデジタル画像信号をＣＲＴやＬＣＤ等に対してビデオ画像として表示するのに最適な形態の信号に変換したり、着脱メモリ３９に記録された画像データ等を読み出して、これを再生表示するのに最適な形態の画像信号に変換する等、画像を表示する際に必要となる各種の画像処理等を実行するビデオ出力回路２０と、このビデオ出力回路２０により制御され、同ビデオ出力回路２０によって生成された表示用の画像信号に基づく画像や、この画像を表わす画像データに付随する各種の画像情報等を表示する表示手段、即ち情報表示手段であり画像表示手段である液晶ディスプレイ（ＬＣＤ）等の画像表示ＬＣＤ２１
本電子カメラ１の所望の動作を実行させるための各種の操作部材等を含めた操作部２８
　
記載事項ウ
「【００４０】　図２に示すように、本電子カメラ１の光学ファインダーによって視認し得る視野４２の範囲内には、撮影光学系を透過した光束により形成される被写体像を含む観察用の光学的の範囲を規定するファインダー画面枠４１（図２参照）が設けられている。この
ファインダー画面枠４１の範囲は、撮影動作を実行することで取得される画像信号に基づいて表示され得る画像の範囲に略一致するように設定
【００４１】　また、ファインダー画面枠４１の光学像の表示領域から外れた部分であって、同画面枠４１の上縁部及び下縁部には、表示手段であり撮影時の各種の情報、即ち被写体までの距離に関する情報等を表示する液晶ディスプレイ（ＬＣＤ）等からなる情報表示用ＬＣＤ２４の表示部が所定の位置に所定の形態で配置されている。」
　
記載事項エ
「【００４３】一方、上述の操作部２８としては、例えば次のようなものがある。即ち、（１）
測光動作や
　
記載事項オ
「【００４９】このように構成された本電子カメラ１を用いて撮影動作を行なう場合における
画像表示ＬＣＤ２１
の作用を、以下に説明する。図３・図４は、本電子カメラ１がＭＦモードに設定されているときの画像表示ＬＣＤ２１の表示画面を示し、図３は、その初期状態の表示を示すものである。また図４は、ＭＦ手段による手動焦点調節操作を実行した場合に、画像表示ＬＣＤ２１に被写体距離情報等が表示されている際の表示例
・・・
【００５３】この状態において、操作部２８のうち焦点調節モード切換部材（図示せず）等を操作してＭＦモードで動作するように切り換えると、画像表示ＬＣＤ２１の表示画面には、図３に示す初期表示がなされる。
【００５４】本電子カメラ１の動作モードを記録モードに設定し、焦点調節モードをＭＦモードに設定した場合の画像表示ＬＣＤ２１の表示は、次のようになる。本電子カメラ１のＭＦモード時の画像表示ＬＣＤ２１の表示は、
図３・図４に示す
【００５５】
まず、表示画面の上端寄りの領域には、フォーカスレンズ１１ｂの状態、即ち被写体距離情報が視覚的に識別し易い形態で表示される。
表示画面の下端寄りの領域には、ＡＦ回路２３等の所定の手段によって算出される合焦評価値等に関する情報が視覚的に識別し易い形態で表示される。
表示画面の上端寄りの領域には、距離ウインドウ２１ａ及びフォーカスモータパルスウインドウ２１ｄが表示される。
【００５７】
距離ウインドウ２１ａは、本電子カメラ１に適用されている撮影光学系により形成される被写体像の焦点位置を調整し得る上限値、即ち無限遠位置を示す目盛り（図３・図４では［∞］で示している）が左端寄りの所定位置に表示され、また、同撮影光学系の焦点調整範囲の下限値である最短位置を示す目盛り（図３・図４では［０．２ｍ］で示している）が右端寄りの所定位置に表示されている横長の棒グラフ状のウインドウからなるもの
【００５８】この距離ウインドウ２１ａには、フォーカスモータ３６の回転によって生じるモータパルス数等に基づく情報（後述するフォーカスモータパルスウインドウ２１ｄに表示される位置相当値）から算出されるフォーカスレンズ１１ｂの位置に関する情報、即ち
フォーカスレンズ１１ｂの位置に対応する目安となる合焦距離値（被写体距離値）が、指標２１ａａによって同ウインドウ２１ａの対応する位置に表示される
【００５９】なお、この合焦距離値は、上述したように位置相当値に基づいてシステムコントローラ３８により算出されるものである。したがって、システムコントローラ３８は、位置相当値に基づいて、これに対応する合焦距離値を算出する距離算出手段の役目もしている。
【００６０】距離ウインドウ２１ａの両端部には、無限遠位置［∞］を示す目盛りと最短撮影位置［０．２ｍ］を示す目盛りのそれぞれよりも、さらに外方に延長させて若干の余裕領域２１ｘを有するようにしている。これは、距離ウインドウ２１ａに表示される距離情報は、レンズやフォーカスモータ３６の取り付けや組み立て等のバラツキにより、必ずしも厳密な距離を示す情報ではなく目安として表示しているものであるので、例えば図４において無限遠位置［∞］よりも左寄りの位置や最短距離位置［０．２ｍ］よりも右側寄りの位置に指標２１ａａが表示されることもあり得るため、これを考慮しているものである。
【００６１】
フォーカスモータパルスウインドウ２１ｄは、距離ウインドウ２１ａの左端寄りの所定の位置に表示されるウインドウであって、フォーカスモータ３６が駆動したときの回転量（の絶対値）に対応するパルス値を単純な整数値に換算した値
【００６２】そして、フォーカスモータ３６のパルス値は、フォーカスレンズ１１ｂの移動量に対応するものであるので、基準位置からのフォーカスレンズ１１ｂの移動量を算出することで、同レンズ１１ｂの絶対位置を表わすことができることになるのである。
【００６３】本電子カメラ１においては、
距離ウインドウ２１ａには、フォーカスモータ３６の駆動パルス値に基づいて算出されたフォーカスレンズ１１ｂの絶対位置の値が表示される
　
記載事項カ
「【００６８】ところで、一般的な電子カメラにおける焦点深度ｔ、すなわち許容し得る焦点位置のずれ量は、撮影光学系の開放絞り値ＦNo（Ｆナンバー）と許容錯乱円径δとに比例し、
ｔ＝δ・ＦNo
の関係が成立することは周知である。
【００６９】そこで、本電子カメラ１において、例えば
許容錯乱円径
ｔ＝１０・２．８
＝２８（μ）
となる。このことから判るように、
本実施形態の電子カメラ１におけるフォーカスレンズ１１ｂの単位移動量は、所定の焦点深度ｔ＝２８μ以下に設定する必要がある
【００７０】したがって、本電子カメラ１においては、
例えばフォーカスレンズ１１ｂの単位移動量＝２０μとして、これを１Ｐ（パルス値）と表わすことにする。そして、この数値をフォーカスモータパルスウインドウ２１ｄ（図３・図４参照）及び情報表示用ＬＣＤ２４（図５参照）の所定の位置に表示する単純な整数値として扱うことにする。
　
記載事項キ
「【００７６】
さらに画像表示ＬＣＤ２１の表示画面の下側の領域には、合焦ウインドウ２１ｃが表示される。
【００７７】
合焦ウインドウ２１ｃには、合焦評価値が視覚的に識別し易い形態、即ち棒グラフ状に表示される。
ＡＦ回路２３において所定の演算処理が施されて算出された値であって、例えば撮像素子１２の所定の一部の領域、即ちフォーカスエリアにおける高周波成分量を検出し所定の演算処理によって得られる値を視認し得る形態としてグラフ化したもの
　
記載事項ク
「【００９９】　ここで、本電子電子的撮像装置１の使用者が、
さらにＭＦ手段による手動焦点調節操作を行なうと、これを受けてシステムコントローラ３８は、フォーカスモータ駆動回路３５を介してフォーカスモータ３６を所定量だけ移動させ、フォーカスモータ駆動後の位置における焦点状態を再度検出して合焦評価値を検出する。
【０１００】　このようにしてフォーカスレンズ１１ｂの位置が設定された後に、露光動作を開始させるレリーズ操作がなされると、システムコントローラ３８は、その状態での合焦評価値に基づくフォーカスレンズ１１ｂの位置相当値をフォーカスブラケット撮影処理における基準値に設定する。そして、この状態において通常の露光動作が実行される。これによって取得された画像信号は、内蔵メモリ１５に一時的に記憶される。」
　
　以上、記載事項ア〜クから、引用例１には、次の発明（以下、「引用発明」という。）が記載されていると認められる。
　
「焦点調節動作に寄与するフォーカスレンズ１１ｂと、
　撮影レンズユニット１１の複数のレンズによって結像される光学的な被写体像を電気的な信号に変換し所定の形態の画像信号を生成する撮像手段の一部であるＣＣＤ等の撮像素子１２と、
　この撮像素子１２により取得された画像信号に対して所定の信号処理等を施す電気回路であって撮像手段の一部を構成する撮像回路１３と、この撮像回路１３からの出力信号（アナログ信号）を受けてデジタル信号に変換するＡ／Ｄ変換回路１４と、このＡ／Ｄ変換回路１４からの出力信号を受けて自動焦点調節動作に寄与する所定の演算等を行なって所定の合焦評価値（例えば被写体像のコントラストの強弱を示すコントラスト値等）を算出する合焦評価値算出手段であるＡＦ回路２３と、
　画像を表示する際に必要となる各種の画像処理等を実行するビデオ出力回路２０と、このビデオ出力回路２０により制御され、同ビデオ出力回路２０によって生成された表示用の画像信号に基づく画像や、この画像を表わす画像データに付随する各種の画像情報等を表示する表示手段、即ち情報表示手段であり画像表示手段である液晶ディスプレイ（ＬＣＤ）等の画像表示ＬＣＤ２１と、
　フォーカスモータ３６の駆動パルス値に基づいて算出されたフォーカスレンズ１１ｂの絶対位置の値、即ち、フォーカスレンズ１１ｂの位置に対応する目安となる合焦距離値（被写体距離値）を示す指標２１ａａを表示する距離ウインドウ２１ａと、
　本電子カメラ１における撮像素子１２によって取得された信号に対して所定の信号処理が施されることにより生成されるデジタル信号を用いて、ＡＦ回路２３において所定の演算処理が施されて算出された値であって、例えば撮像素子１２の所定の一部の領域、即ちフォーカスエリアにおける高周波成分量を検出し所定の演算処理によって得られる合焦評価値を視認し得る形態としてグラフ化表示する合焦ウインドウ２１ｃと、
　を備えたカメラ。」
　
　次に、原査定の拒絶の理由に引用された、本願出願前及び優先権主張日前に頒布された刊行物である特開平１０−４２１８４号公報（以下、「引用例２」という。）には、次の事項が記載されている。
　
記載事項ケ
「【００２９】　
以下、上記フイルムスキャナーのピント合わせ作用について説明する。
【００３０】　図６は、横軸に撮像信号に含まれる空間周波数を、縦軸に空間周波数ごとの評価信号強度（絶対値）をとったときの周波数分布特性を示すもので、空間周波数は概念的に撮像信号相互間の差の度合に対応し、評価信号強度は空間周波数ごとのサンプル数に差の度合を乗算した値に対応する。撮像信号に含まれる空間周波数は広範囲にわたっているが、設定モードに応じてバンドパスフィルタ１８の低域，高域のカット周波数を決めることによって、それぞれ限られた周波数帯域での評価信号強度がピント合わせに用いられる。そして、ハイコントラストモードでは空間周波数の高い領域に属する評価信号が重点的に用いられ、標準モード，ローコントラストモードになるにしたがって、空間周波数の低い領域の評価信号までも含めてピント合わせに用いられる。そして、図６に実線で示す「標準モード」が選択されると、その通過帯域内での評価信号がバンドパスフィルタ１８から出力され、積算回路２６で積算される。
【００３１】　オペレータがズーム操作を行わないときには、この積算値は、図６の評価信号強度を標準モードで示す曲線で囲まれた範囲内の評価信号強度を加算した値に対応しており、フォーカスレンズ５ｂの移動量に対して図７にで示す相関をもって変化する。そして、
フォーカスレンズ５ｂが合焦位置にきたときに評価信号の積算値がピークとなる。
【００３２】　こうしてフォーカスレンズ５ｂを合焦位置に移動させると、ＣＲＴモニタ１６には鮮明な写真画像が表示されるから、オペレータはユーザインターフェース３３を介して画像信号の取り込み入力を行う。これにより、デジタル信号処理回路１４からピント合わせ後の画像信号がＲＧＢ出力端子あるいはコンポジット出力端子から出力される。
なお、ＣＲＴモニタ１６の画面には単に写真画像が表示されるだけでなく、ピント合わせ処理の過程で得られる評価信号の積算値データがデジタル表示され、あるいは図７に示すピント合わせ曲線がシミュレーション表示される。したがって、この表示を確認した上でオペレータは画像信号の取り込み入力を行うことが可能となる。
　
　また、原査定の拒絶の理由に引用された、本願出願前及び優先権主張日前に頒布された刊行物である特開平８−２６２５５２号公報（以下、「引用例３」という。）には、次の事項が記載されている。
　
記載事項コ
「【００１６】　図４はファインダ表示装置４４のファインダ内表示部分の詳細を示す。この例では、ファインダ画面Ｆの下方に図３（ａ）のフォーカスステップ数ｎと同数の液晶セグメント２５０が配列され、
それぞれの液晶セグメント２５０の上部が被写界深度表示部４４ａ（正方形状の部分）、下部が撮影距離表示部４４ｂ（三角形状の部分）とされている。
【００１７】上述した図３の距離ステップ表により
測距装置２２の測距値に対応する撮影距離が決定されると、ＣＰＵ４０は決定された撮影距離を撮影距離表示部４４ｂで表示する。図４の例では撮影距離表示部４４ｂのうちステップ１６の部分が点灯し、これにより撮影距離１ｍが判別できる。また、下記の値に基づいて被写界深度Ｄを求め、その結果を被写界深度表示部４４ａにより表示する。
ｆ：撮影光学系の焦点距離（ｍｍ）
σ：最小錯乱円径（ｍｍ）
Ｆ：撮影光学系のＦ値
撮影距離Ｌは測距装置２２の測距値または図３（ａ）の距離ステップ表から特定でき、焦点距離ｆは図２の焦点距離検出装置４３からの情報により特定でき、最小錯乱円σは予めＣＰＵ４０に与えておくことができる。また、撮影光学系のＦ値は撮影者により手動で設定され、あるいはカメラが自動設定した値を識別すればよい。」
　
３．対比
　
　本願発明と引用発明とを対比する。　
　
（１）　引用発明の「焦点調節動作に寄与するフォーカスレンズ１１ｂ」と本願発明の「焦点距離が調整可能であるレンズ」を比較する。
まず、該比較するための前提として、本願発明の「焦点距離」の解釈を検討すると、
　本願の当初明細書の記載
　「【００１０】
  図２Ａは、焦点距離の関数としての合焦の測度のグラフ表示の一実施形態例である。
横軸２００は、焦点距離、たとえば対数目盛でのメートルを示す。
　一方、通常、カメラ（の撮影レンズ）の「焦点距離」のオーダーは、数十ｍｍ〜数百ｍｍのオーダーの範囲内で調整されること（例えば、本願出願前に頒布された刊行物である特開２００２―１３５６４０号公報の記載
「【０００２】【従来の技術】デジタルカメラ等の撮像装置の撮像方法の1つとして、・・・
【０００３】　
撮像装置におけるズーム設定(焦点距離設定)は
35mmから70mmの間の各焦点距離となる。
　また、一般的に、合焦評価値は、フォーカスレンズ位置（又は、これに対応する撮影距離（被写体距離；数ｍ〜無限大のオーダー））との対応によって示されることも従来周知の事項である。
　以上の従来周知の一般常識からみて、「本願発明」の「焦点距離」とは、カメラ技術の分野において、通常用いられる「フォーカスレンズ位置」ことを指し、また、本願発明の「焦点距離」を調節するとは、撮影レンズの「フォーカスレンズ位置」を調整すること（該フォーカスレンズの位置調節によって、通常はカメラの焦点調節がなされるから）を意味する、と解するのが妥当である。
　
　以上の解釈を踏まえると、
　引用発明の「焦点調節動作に寄与するフォーカスレンズ１１ｂ」は、本願発明の「焦点距離が調整可能であるレンズ」に相当すると言える。
　
（２）　引用発明の「撮影レンズユニット１１の複数のレンズによって結像される光学的な被写体像を電気的な信号に変換し所定の形態の画像信号を生成する撮像手段の一部であるＣＣＤ等の撮像素子１２」と、
本願発明の「焦点合わせを制御するため、およびシーンからの光の輝度を測定するために用いられ、前記レンズを介して画像を受け取り、複数の焦点距離に関する画像データを生成する光センサアレイ」とを比較すると、
　
ア　引用発明の「撮像手段の一部であるＣＣＤ等の撮像素子１２」は、本願発明の「画像データを生成する光センサアレイ」に相当する。
　
イ　引用発明の「撮影レンズユニット１１の複数のレンズによって結像される光学的な被写体像を電気的な信号に変換し所定の形態の画像信号を生成する」は、本願発明の「前記レンズを介して画像を受け取り、・・・画像データを生成する」に相当する。
　
ウ　引用発明は、「この撮像素子１２により取得された画像信号」によって、「撮像回路１３」及び「Ａ／Ｄ変換回路１４」を介し、「自動焦点調節動作に寄与する所定の演算等を行なって、所定の合焦評価値（例えば被写体像のコントラストの強弱を示すコントラスト値等）を算出」するのである（記載事項イ参照）から、該「撮像素子１２」は、本願の「光センサアレイ」と同様に「焦点合わせを制御するため」のものである、と言える。
　
エ　引用発明における焦点調節動作は、フォーカスレンズを移動させて、複数の該レンズ位置において、合焦評価値（撮像素子１２により取得された画像信号に基づく）を取得し実行されるものである（記載事項クの記載「さらにＭＦ手段による手動焦点調節操作を行なうと、これを受けてシステムコントローラ３８は、フォーカスモータ駆動回路３５を介してフォーカスモータ３６を所定量だけ移動させ、フォーカスモータ駆動後の位置における焦点状態を再度検出して合焦評価値を検出する。」を参照。なお、同記載箇所は、オートブラケット撮影の実施例に関する動作について開示されたものであるが、合焦動作としては、引用例１の全ての実施例に共通するものであることは自明である。）から、該「撮像素子１２」は、「複数のフォーカスレンズ位置」に関する画像信号を生成するものである。
　なお、引用発明における「フォーカスレンズ位置」が、本願発明の「焦点距離」に対応する点については、上記３．（１）の考察を参照のこと。
　
　以上、ア〜エの対比考察から、両者は、「焦点合わせを制御するために用いられ、前記レンズを介して画像を受け取り、複数の焦点距離に関する画像データを生成する光センサアレイ」である点で一致する。
　
（３）　引用発明の「この撮像素子１２により取得された画像信号に対して所定の信号処理等を施す電気回路であって撮像手段の一部を構成する撮像回路１３と、この撮像回路１３からの出力信号（アナログ信号）を受けてデジタル信号に変換するＡ／Ｄ変換回路１４と、このＡ／Ｄ変換回路１４からの出力信号を受けて自動焦点調節動作に寄与する所定の演算等を行なって所定の合焦評価値（例えば被写体像のコントラストの強弱を示すコントラスト値等）を算出する合焦評価値算出手段であるＡＦ回路２３」と、本願発明の「前記光センサアレイから前記画像データを受け取り、該画像データを用いて、前記複数の焦点距離それぞれにおける合焦評価値を計算するプロセッサ」とを比較すると、
　
ア　引用発明の「撮像素子１２」、「画像信号」、「合焦評価値」及び「ＡＦ回路２３」は、本願発明の「光センサアレイ」、「画像データ」、「合焦評価値」及び「プロセッサ」にそれぞれ相当する。
　
イ　また、引用発明の焦点調節動作は、「合焦評価値」を複数のフォーカスレンズ位置、それぞれにおいて計算し取得されるものである（上記、３．（２）（エ）の考察を参照のこと。）。
　
　以上ア、イの比較検討から、両者は相当関係にある。
　
（４）　引用発明の「画像を表示する際に必要となる各種の画像処理等を実行するビデオ出力回路２０と、このビデオ出力回路２０により制御され、同ビデオ出力回路２０によって生成された表示用の画像信号に基づく画像や、この画像を表わす画像データに付随する各種の画像情報等を表示する表示手段、即ち情報表示手段であり画像表示手段である液晶ディスプレイ（ＬＣＤ）等の画像表示ＬＣＤ２１と、
　フォーカスモータ３６の駆動パルス値に基づいて算出されたフォーカスレンズ１１ｂの絶対位置の値、即ち、フォーカスレンズ１１ｂの位置に対応する目安となる合焦距離値（被写体距離値）を示す指標２１ａａを表示する距離ウインドウ２１ａと、
　本電子カメラ１における撮像素子１２によって取得された信号に対して所定の信号処理が施されることにより生成されるデジタル信号を用いて、ＡＦ回路２３において所定の演算処理が施されて算出された値であって、例えば撮像素子１２の所定の一部の領域、即ちフォーカスエリアにおける高周波成分量を検出し所定の演算処理によって得られる合焦評価値を視認し得る形態としてグラフ化表示する合焦ウインドウ２１ｃと、
　を備えたカメラ。」と、
　本願発明の「前記プロセッサにより制御され、焦点距離の関数として前記合焦評価値を示すインジケータと、を備え
前記インジケータが、現在のレンズ位置に応じた焦点位置に対する被写界深度を示し、前記インジケータが、グラフィックディスプレイをさらに備え、前記ディスプレイで、同時に合焦情報を見ることができる、
カメラ。」
とを比較すると、
　
ア　引用発明の「ＡＦ回路２３」は、本願発明の「プロセッサ」に相当する。
　
イ　引用発明の「画像表示ＬＣＤ２１」は、本願発明の「インジケータ」に相当する。
（インジケータとは、一般に、機器の動作状態を示す機器と解する。）
　
ウ　引用発明の「フォーカスエリアにおける高周波成分量を検出し所定の演算処理によって得られる合焦評価値を視認し得る形態としてグラフ化表示する合焦ウインドウ２１ｃ」と、本願発明の「焦点距離の関数として前記合焦評価値を示すインジケータ」とは、「合焦評価値を示すインジケータ」である点で一致する。
　
エ　引用発明の「合焦ウィンドウ２１ｃ」は、「合焦評価値を視認し得る形態としてグラフ化表示する」ディスプレイであり、かつ、引用発明の「画像表示ＬＣＤ２１」に含まれる（記載事項キ「「【００７６】さらに
画像表示ＬＣＤ２１の表示画面の下側の領域には、合焦ウインドウ２１ｃが表示される
　
　以上ア〜エから、両者は、
「前記プロセッサにより制御され、前記合焦評価値を示すインジケータと、を備え、前記インジケータが、グラフィックディスプレイをさらに備えた、カメラ」の点で一致する。
　
　したがって、上記（１）〜（４）の対比考察から、本願発明と引用発明とは、
「焦点距離が調整可能であるレンズと、
焦点合わせを制御するため、前記レンズを介して画像を受け取り、複数の焦点距離に関する画像データを生成する光センサアレイと、
前記光センサアレイから前記画像データを受け取り、該画像データを用いて、前記複数の焦点距離それぞれにおける合焦評価値を計算するプロセッサと、
前記プロセッサにより制御され、前記合焦評価値を示すインジケータと、を備え
前記インジケータが、グラフィックディスプレイをさらに備えた
カメラ。」の点で一致し、以下の点で相違する。
　
相違点１
　光センサアレイが、本願発明では「シーンからの光の輝度を測定するために用いられ」るのに対し、引用発明ではその旨、明示されていない点。
　
相違点２
　インジケータによる合焦評価値の示し方として、本願発明が「集合距離の関数として」、合焦評価値を示すのに対し、引用発明では、「視認し得る形態としてグラフ化表示」する点。
　
相違点３
　インジケータが、本願発明では「現在のレンズ位置に応じた焦点位置に対する被写界深度を示」すのに対し、引用発明では、「フォーカスモータ３６の駆動パルス値に基づいて算出されたフォーカスレンズ１１ｂの絶対位置の値、即ち、フォーカスレンズ１１ｂの位置に対応する目安となる合焦距離値（被写体距離値）を示す指標２１ａａ」（画像表示ＬＣＤ２１に含まれる「距離ウインドウ２１ａ」にて表示）を示している点。
　
相違点４
　インジケータに備えられたグラフィックディスプレイにおいて、本願発明は、「インジケータ」による「現在のレンズ位置に応じた焦点位置に対する被写界深度」の表示と「同時に合焦情報を見ることができる」のに対し、引用発明では、その旨、明示されていない点。
　
４．当審の判断
　
　前記相違点１〜４について、それぞれ検討する。
　
相違点１について
　
　撮像素子を、撮影シーンの光の輝度の測定（測光）に用いることは、従来周知の手法である（例えば、本願出願前及び優先権主張日前に頒布された刊行物である特開２０００−３０８０６９号公報の記載（「【００１０】
ＣＣＤ１４から順次読み出された電圧信号は、
Ａ／Ｄ変換器２０に加えられ、デジタルのＲ、Ｇ、Ｂ信号に変換して出力する。
【００１１
】前記Ａ／Ｄ変換器２０から出力されたＲ、Ｇ、Ｂ信号は、
測光回路２６
にも転送される。測光回路２６では画像のデジタル信号値から画像中の輝度成分を抽出して、これを所定のエリアについて積分するなどして被写体の輝度レベルを取得し、ここで得た被写体の輝度レベルから撮影に必要な露出力（撮影絞りとシャッター速度）を求め、撮影するＴＴＬＡＥ機能を搭載している。
　また、引用発明のカメラでも、測光動作が行われていることから（記載事項エの「【００４３】・・・（１）
測光動作や
　
相違点２について
　
　引用例２は、引用発明と同じく、フォーカスエリアにおける高周波成分量を検出し所定の演算処理によって得られる合焦評価値に基づく合焦手段を開示するものであり、さらに、該引用例２の合焦手段においては、該合焦評価値（引用例２では「評価信号の積算値」が該当する）の表示方法として、現在のレンズ位置での評価値そのものを表示するか、又は、「ピント合わせ曲線」（図７より、フォーカスレンズ位置を横軸とし、評価信号の積算値（＝合焦評価値）を縦軸とする曲線）を表示するかの、二つの方法が開示されている（引用例２の記載事項ケ
「
ＣＲＴモニタ１６の画面には
評価信号の積算値データがデジタル表示
あるいは図７に示すピント合わせ曲線がシミュレーション表示される。
確認
　これらの表示方法と、引用発明における表示方法（「視認し得る形態としてグラフ化表示」）は共に、合焦の目安をユーザーに示すことにより、合焦操作をより簡易なものとするためものであるから、引用発明の表示形態を、公知の引用例２の表示形態（「【００３２】・・・
図７に示すピント合わせ曲線がシミュレーション表示。」
　なお、本願発明の表示形態は、「焦点距離の
関数
図７に示すピント合わせ曲線がシミュレーション表示」
　
相違点３について
　
　現在設定されているフォーカスレンズ位置（撮影距離（被写体位置）に対応）に応じて、被写体深度（被写界深度）の範囲を演算し、該深度を表示する手段は、引用例３の記載事項コや、本願出願前及び優先権主張日前に頒布された刊行物である特開昭５６−１２８９３１号公報の特許請求の範囲の記載（「撮影レンズの移動位置に対応して撮影距離情報を検出する手段と、
被写体の明るさに対応して被写体輝度情報を検出する手段と、
上記撮影距離情報と上記被写体輝度情報に基いて被写界深度を演算する手段と、
この被写界深度演算手段の出力により被写界深度を表示する被写界深度表示手段と、を備えたことを特徴とするカメラの被写界深度表示装置。」）に開示されているように、従来周知の手段である。
　したがって、引用発明のフォーカスレンズ位置（「フォーカスモータ３６の駆動パルス値に基づいて算出されたフォーカスレンズ１１ｂの絶対位置の値、即ち、フォーカスレンズ１１ｂの位置に対応する目安となる合焦距離値（被写体距離値）を示す指標２１ａａ」）に応じて、該フォーカスレンズ位置での被写界深度を表示することは、当業者であれば適宜採用する事項である。
　
相違点４について
　
　本願発明の「同時に合焦情報を見ることができる」の「合焦情報」とは、本願の当初明細書の記載（「【００１５】　カメラの操作者は、図２Ａ〜図２Ｃに示す合焦情報を用いて、写真撮影の前に調整を行うことができる。」）との記載から、例えば、図２Ａで示されたような、合焦評価値を示す表示形態（グラフ）を意味するものと解される。
　したがって、上記「相違点２について」で述べたように、本願発明の該表示形態（グラフ）と、引用例２に開示された合焦評価値を示す表示形態（フォーカスレンズ位置及び合焦評価値の関係を示すグラフ）は同種のものであるから、上記「相違点２について」で述べた理由のとおり、引用発明のディスプレイにおいて、上記表示形態（合焦状態）を表示することは、当業者であれば容易に想到し得るものであると認められる。
　また、撮影者に対して、焦点調節に必要な複数の情報を、同時に提供することは、撮影の効率性の観点から、当業者であれば当然配慮すべき事項であるので、上記の表示形態（合焦情報）と、「相違点３について」で検討した、被写界深度情報とを、同時に表示する事は、当業者にとって格別の困難性はない。
　
　また、本願発明によってもたらされる効果は引用例１乃至３の記載及び周知の事項から当業者が予測し得る範囲内のものである。
　
４　むすび
　
　以上のとおり、本願発明は、当業者からみて、原査定の拒絶の理由に引用された引用例１乃至３に記載された発明、及び周知の事項に基づいて、当業者が容易に発明をすることができたものであるので、特許法第２９条２項の規定により特許を受けることができないものである。
　
　したがって、その余の請求項について論及するまでもなく、本願は、拒絶すべきものである。
　
　よって結論のとおり審決する。